(57)【特許請求の範囲】
【請求項１】
試料に測定光を照射し、試料からの反射光又は透過光を検出器で検出することにより試料の分析を行うための分析装置であって、
通電量に応じて発熱量及び発光量が変化する光源としてのヒータと、
前記ヒータを内部に収容し、前記ヒータからの光が測定光として外部に出射される筐体と、
前記分析装置の電源をオン状態又はオフ状態に切り替える電源切替部と、
前記分析装置の電源がオフ状態からオン状態に切り替えられた場合に、前記ヒータへの通電量を設定値よりも大きい値に上昇させた後、前記設定値に降下させる制御部とを備え、
前記筐体の内部の温度を検出する内部温度センサと、
前記筐体の外部の温度を検出する外部温度センサとをさらに備え、
前記制御部は、前記分析装置の電源がオフ状態からオン状態に切り替えられた場合に、前記ヒータへの通電量を設定値よりも大きい値に上昇させた後、前記内部温度センサ及び前記外部温度センサからの検出信号に基づいて前記設定値に降下させることを特徴とする分析装置。
【請求項２】
試料に測定光を照射し、試料からの反射光又は透過光を検出することにより試料の分析を行うためのフーリエ変換赤外分光光度計であって、
通電量に応じて発熱量及び発光量が変化する光源としてのヒータと、
前記ヒータからの赤外光から赤外干渉光を生成する干渉部と、
前記ヒータ及び前記干渉部を内部に収容し、前記干渉部により生成された赤外干渉光が測定光として外部に出射される筐体と、
前記筐体と間隔を隔てて配置され、前記筐体からの測定光が入射される試料室と、
前記試料室と間隔を隔てて配置され、前記試料室からの反射光又は透過光が入射される検出器と、
前記フーリエ変換赤外分光光度計の電源をオン状態又はオフ状態に切り替える電源切替部と、
前記フーリエ変換赤外分光光度計の電源がオフ状態からオン状態に切り替えられた場合に、前記ヒータへの通電量を設定値よりも大きい値に上昇させた後、前記設定値に降下させる制御部とを備え、
前記ヒータは、前記筐体内に１つのみ設けられることを特徴とするフーリエ変換赤外分光光度計。
【請求項３】
前記制御部は、前記フーリエ変換赤外分光光度計の電源がオフ状態からオン状態に切り替えられた場合に、前記ヒータへの通電量を設定値よりも大きい値に上昇させた後、一定時間経過後に前記設定値に降下させることを特徴とする請求項２に記載のフーリエ変換赤外分光光度計。
【発明の詳細な説明】
【技術分野】
【０００１】
本発明は、試料に測定光を照射し、試料からの反射光又は透過光を検出器で検出することにより試料の分析を行うための分析装置に関するものである。
【背景技術】
【０００２】
従来から、光源から出射された測定光を試料に向けて照射し、試料からの反射光又は透過光に基づいて試料を分析する分析装置が知られている。
【０００３】
このような分析装置の中には、光源としてヒータを用いるものがある。例えば、ＦＴ−ＩＲ（フーリエ変換赤外分光光度計）は、光源としてのヒータに加えて、固定鏡、移動鏡、ビームスプリッタ、及び、これらを収容する筐体などを備えている。ＦＴ−ＩＲでは、ヒータからの光が、ビームスプリッタを介して固定鏡及び移動鏡で反射する。そして、固定鏡で反射した光、及び、移動鏡で反射した光が干渉し、干渉した光が試料に向けて照射される（例えば、下記特許文献１参照）。
【０００４】
また、ＦＴ−ＩＲでは、ヒータは、測定光を出射するとともに、筐体内を加熱する。そして、ＦＴ−ＩＲでは、筐体内の温度が安定した状態に保たれて、試料の分析が行われる。
【先行技術文献】
【特許文献】
【０００５】
【特許文献１】特開２００２−７１４６０号公報
【発明の概要】
【発明が解決しようとする課題】
【０００６】
上記のＦＴ−ＩＲのように、ヒータを光源とする従来の分析装置では、分析装置の電源がオフ状態からオン状態に切り替えられた場合に、ヒータに対して一定の電圧が印加されて通電が開始される。そして、筐体内の温度が安定した後、分析が開始される。そのため、筐体内の温度が安定するまで待つ必要があり、その待ち時間が長くなるという不具合が生じる。
【０００７】
また、分析装置における待ち時間を短くするために、筐体内に温調部を設けて加熱することが検討される。しかし、分析装置において温調部を筐体内に設けると、温調部を駆動させた際に生じる振動が、検出結果に悪影響を及ぼす可能性がある。特に、ＦＴ−ＩＲにおいては、振動に基づくピークが検出結果に表れるため、試料成分に基づくピークとの判別が困難になるという不具合が生じる。
【０００８】
本発明は、上記実情に鑑みてなされたものであり、検出結果への影響を抑制しながら、短時間で筐体内の温度を安定させることができる分析装置を提供することを目的とする。
【課題を解決するための手段】
【０００９】
（１）本発明に係る分析装置は、試料に測定光を照射し、試料からの反射光又は透過光を検出器で検出することにより試料の分析を行うための分析装置であって、ヒータと、筐体と、電源切替部と、制御部とを備える。前記ヒータは、通電量に応じて発熱量及び発光量が変化する光源である。前記筐体は、前記ヒータを内部に収容し、前記ヒータからの光が測定光として外部に出射される。前記電源切替部は、前記分析装置の電源をオン状態又はオフ状態に切り替える。前記制御部は、前記分析装置の電源がオフ状態からオン状態に切り替えられた場合に、前記ヒータへの通電量を設定値よりも大きい値に上昇させた後、前記設定値に降下させる。
【００１０】
このような構成によれば、電源切替部によって分析装置の電源がオフ状態からオン状態に切り替えられると、制御部によってヒータへの通電量が設定値よりも大きい値に上昇される。その後、制御部によってヒータへの通電量が設定値に降下される。
そのため、ヒータによって筐体内の温度が急激に上昇された後、ヒータへの通電量が設定値に保たれることにより、筐体内の温度が一定温度に保たれる。
【００１１】
その結果、分析装置の電源がオフ状態からオン状態に切り替えられたときからヒータへの通電量を設定値に保つ場合に比べて、短時間で筐体内の温度を一定温度に到達させることができる。
また、温調部を設ける必要がないため、筐体における振動の発生を抑制しながら、試料に向けて測定光を出射できる。
すなわち、本発明によれば、検出結果への影響を抑制しながら、短時間で筐体内の温度を安定させることができる。
【００１２】
（２）また、前記分析装置は、内部温度センサと、外部温度センサとをさらに備えてもよい。前記内部温度センサは、前記筐体の内部の温度を検出する。前記外部温度センサは、前記筐体の外部の温度を検出する。前記制御部は、前記分析装置の電源がオフ状態からオン状態に切り替えられた場合に、前記ヒータへの通電量を設定値よりも大きい値に上昇させた後、前記内部温度センサ及び前記外部温度センサからの検出信号に基づいて前記設定値に降下させてもよい。
【００１３】
このような構成によれば、ヒータへの通電量を設定値よりも大きい値に上昇させた後、筐体の内部及び外部の温度を考慮した適切なタイミングで、ヒータへの通電量を設定値に降下させることができる。
【００１４】
（３）また、前記制御部は、前記分析装置の電源がオフ状態からオン状態に切り替えられた場合に、前記ヒータへの通電量を設定値よりも大きい値に上昇させた後、一定時間経過後に前記設定値に降下させてもよい。
【００１５】
このような構成によれば、ヒータへの通電量を設定値よりも大きい値に上昇させた後に設定値に降下させるという動作を、簡易な構成及び制御によって行うことができる。
【発明の効果】
【００１６】
本発明によれば、温調部を設ける必要がなく、分析装置の電源がオフ状態からオン状態に切り替えられた場合に、ヒータによって筐体内の温度が急激に上昇された後、ヒータへの通電量が設定値に保たれるため、検出結果への影響を抑制しながら、短時間で筐体内の温度を安定させることができる。
【図面の簡単な説明】
【００１７】
【図１】本発明の第１実施形態に係る分析装置を示した概略図である。
【図２】図１の分析装置の制御部による処理の一例を示したフローチャートである。
【図３】分析装置におけるヒータの温度、及び、筐体内の温度の経時的変化の一例を示したグラフである。
【図４】本発明の第２実施形態に係る分析装置の制御部による処理の一例を示したフローチャートである。
【発明を実施するための形態】
【００１８】
１．分析装置の全体構成
図１は、本発明の第１実施形態に係る分析装置１を示した概略図である。
分析装置１は、フーリエ変換赤外分光光度計（ＦＴ−ＩＲ）であって、筐体２と、ヒータ３と、干渉部４と、試料室５と、検出器６と、電源切替部７と、内部温度センサ８と、外部温度センサ９と、記憶部１０と、制御部１１とを備えている。
【００１９】
筐体２は、中空状のボックス形状に形成されている。
ヒータ３は、筐体２内に収容（配置）されている。ヒータ３は、例えば、セラミックヒータからなり、通電されることにより、赤外光（測定光）を出射するとともに、筐体２内を加熱する。すなわち、ヒータ３は、光源として機能するとともに、筐体２内を加熱する加熱器としても機能する。また、ヒータ３は、通電量に応じて発熱量及び発光量が変化する。
【００２０】
干渉部４は、筐体２内に配置されている。干渉部４は、赤外干渉光を生成するための機構であって、光路において、ヒータ３の下流側に配置されている。干渉部４は、ハーフミラー４１と、固定鏡４２と、移動鏡４３と、駆動部４４とを備えている。
【００２１】
ハーフミラー４１は、ヒータ３と間隔を隔てて配置されている。ハーフミラー４１は、入射する光の一部を反射しつつ、入射する光の残りを透過することが可能な鏡である。
固定鏡４２は、ハーフミラー４１を挟んで、ヒータ３と反対側に配置されている。固定鏡４２は、一定の位置に固定されるように配置されている。
【００２２】
移動鏡４３は、ハーフミラー４１及び固定鏡４２と間隔を隔てて配置されている。移動鏡４３は、ハーフミラー４１と移動鏡４３とを結ぶ方向において移動可能に構成されている。
駆動部４４は、例えば、モータなどからなり、移動鏡４３に駆動力を付与するように構成されている。
【００２３】
なお、干渉部４と対向する筐体２の部分、具体的には、ハーフミラー４１と対向する筐体２の部分には、ハーフミラー４１からの光が通過するための図示しない通過窓が形成されている。
【００２４】
試料室５は、筐体２と間隔を隔てて配置されている。試料室５は、中空状のボックス形状に形成されており、内部に図示しない試料を収容している。また、光路において、試料室５の上流側には、反射鏡１２が配置されている。
【００２５】
検出器６は、試料室５と間隔を隔てて配置されている。検出器６は、例えば、ＭＣＴ（ＨｇＣｄＴｅ）検出器などからなる。検出器６は、入射する光を検出し、検出した光に応じて検出信号を得るように構成されている。具体的には、検出器６は、光（赤外光）に応じたインターフェログラムを得るように構成されている。
電源切替部７は、分析装置１の電源をオン状態又はオフ状態に切り替えるためのものであって、例えば、スイッチなどを備えている。
【００２６】
内部温度センサ８は、筐体２の内部に配置されている。内部温度センサ８は、筐体２の内部の温度を検知する。
外部温度センサ９は、筐体２の外部に配置されている。外部温度センサ９は、筐体２の外部の温度を検知する。
記憶部１０は、例えば、ＲＯＭ（Read Only Memory）、ＲＡＭ（Random Access Memory）およびハードディスクなどにより構成されている。
【００２７】
制御部１１は、例えば、ＣＰＵ（Central Processing Unit）を含む構成である。制御部１１は、ヒータ３、検出器６、電源切替部７、内部温度センサ８及び外部温度センサ９との間で、電気信号の入力又は出力が可能である。制御部１１は、必要に応じて記憶部１０に対するデータの入出力を行う。
【００２８】
具体的には、制御部１１は、ヒータ３への通電量を制御することにより、ヒータ３の動作を制御する。また、制御部１１は、検出器６から入力される検出信号に基づいて、試料の分析を行う。
そして、分析装置１を用いる場合には、まず、電源切替部７のスイッチが操作されることにより、電源がオフ状態からオン状態に切り替えられる。
【００２９】
すると、制御部１１によってヒータ３の動作が制御され、ヒータ３によって筐体２内が加熱される。そして、詳しくは後述するが、筐体２内の温度が上昇して一定温度に到達すると、分析装置１における試料の分析が開始される。
分析装置１における試料の分析では、ヒータ３から赤外光が出射される。そして、赤外光は、ハーフミラー４１に入射する。
【００３０】
ハーフミラー４１に入射した赤外光は、一部がハーフミラー４１を透過して固定鏡４２に入射し、残りがハーフミラー４１で反射されて移動鏡４３に入射する。このとき、移動鏡４３は、駆動部４４から駆動力が付与されることにより移動する。
【００３１】
固定鏡４２で反射された赤外光は、ハーフミラー４１で反射されて反射鏡１２に向かう。また、移動鏡４３で反射された赤外光は、ハーフミラー４１を透過して反射鏡１２に向かう。これにより、固定鏡４２で反射された赤外光、及び、移動鏡４３で反射された赤外光は、合成されて赤外干渉光となり、筐体２の外部に出射されて反射鏡１２に向かう。そして合成された赤外光は、反射鏡１２で反射されて、試料室５に入射する。
試料室５に入射した赤外光は、試料室５内の試料に照射される。そして、試料からの反射光又は透過光が試料室５から出射して、検出器６に入射する。
【００３２】
検出器６は、入射した赤外光に応じたインターフェログラムを、検出信号として制御部１１に出力する。
制御部１１は、検出器６から入力されるインターフェログラムをフーリエ変換することにより、スペクトルの強度分布データを得る。そして、そのデータに基づいて、試料が分析される。
【００３３】
２．記憶部の具体的構成
上記した記憶部１０は、複数のタイミング情報１００を記憶している。タイミング情報１００は、筐体２の外部温度に基づいて閾値を読み出すための情報である。
各タイミング情報１００には、外部温度１０１と、閾値１０２とが含まれており、外部温度１０１と閾値１０２とは、互いに対応づけられている。
外部温度１０１は、筐体２の外部温度に関する情報である。
閾値１０２は、筐体２の内部温度に関する情報である。
【００３４】
複数のタイミング情報１００において、ある外部温度１０１の値は、その他の外部温度１０１の値とは異なっている。そして、それぞれが互いに異なる温度の情報である外部温度１０１に、閾値１０２が対応づけられている。例えば、あるタイミング情報１００では、外部温度１０１は、２５℃であり、閾値１０２は、５０℃である。また、あるタイミング情報１００では、外部温度１０１は、３５℃であり、閾値１０２は、５５℃である。
そして、制御部１１は、外部温度１０１の情報に基づいて、記憶部１０から必要となるタイミング情報１００を選択し、そのタイミング情報１００に含まれる閾値１０２を読み出す。
【００３５】
３．制御部によるヒータの制御動作
図２は、分析装置１の制御部１１による処理の一例を示したフローチャートである。
分析装置１において、電源切替部７によって電源がオフ状態からオン状態に切り替えられると（ステップＳ１０１でＹＥＳ）、制御部１１は、ヒータ３に対する通電量を最大値として、ヒータ３に印加する電圧を第１電圧にする（ステップＳ１０２）。すなわち、第１電圧は、ヒータ３に対する通電量を最大としたときの電圧である。
【００３６】
そして、ヒータ３において、発光量及び発熱量がともに最大となる。これにより、筐体２内の温度が急激に上昇する。
また、制御部１１は、記憶部１０からタイミング情報１００を読み出す。
具体的には、制御部１１には、内部温度センサ８が検知する温度に対応する検出信号、及び、外部温度センサ９が検知する温度に対応する検出信号が入力される。
【００３７】
そして、制御部１１は、外部温度センサ９からの検出信号に基づいて、記憶部１０に記憶されている複数のタイミング情報１００のうち、所定のタイミング情報１００を選択する。具体的には、制御部１１は、記憶部１０に記憶されている複数のタイミング情報１００のうち、外部温度センサ９が検知する筐体２の外部の温度と同一、又は、外部温度センサ９が検知する筐体２の外部の温度に最も近い温度の情報を、外部温度１０１として備えているタイミング情報１００を選択する。すなわち、タイミング情報１００において、外部温度１０１は、タイミング情報１００を選択するための索引情報（インデックス）として機能する。
さらに、制御部１１は、選択したタイミング情報１００に含まれる閾値１０２を読み出す。
【００３８】
また、制御部１１は、内部温度センサ８からの検出信号に基づいて、筐体２の内部の温度が、記憶部１０から読み出した閾値１０２の温度に到達したか否かを判別する。そして、制御部１１は、筐体２の内部の温度が、記憶部１０から読み出した閾値１０２の温度に到達すると（ステップＳ１０３でＹＥＳ）、ヒータ３に対する通電量を設定値として、ヒータ３に印加する電圧を第２電圧にする（ステップＳ１０４）。すなわち、第２電圧は、ヒータ３に対する通電量を設定値としたときの電圧である。なお、分析装置１では、上記した最大の通電量よりも小さい値の通電量が設定値とされており、第２電圧の値は第１電圧の値よりも小さい。
【００３９】
例えば、外部温度センサ９が検知する筐体２の外部の温度が２５℃である場合には、制御部１１は、外部温度１０１が２５℃であるタイミング情報１００を選択する。そして、そのタイミング情報１００から、閾値１０２として５０℃の情報を読み出す。また、制御部１１は、筐体２内の温度が５０℃になると、ヒータ３に対する印加電圧を第１電圧から第２電圧にする。
【００４０】
一方、外部温度センサ９が検知する筐体２の外部の温度が３５℃である場合には、制御部１１は、外部温度１０１が３５℃であるタイミング情報１００を選択する。そして、そのタイミング情報１００から、閾値１０２として５５℃の情報を読み出す。また、制御部１１は、筐体２内の温度が５５℃になると、ヒータ３に対する印加電圧を第１電圧から第２電圧にする。
【００４１】
このようにして、ヒータ３に対する印加電圧が第１電圧から第２電圧に切り替えられて、筐体２内の温度が一定温度に保たれる。これにより、筐体２内が分析に適した安定した状態となり、この状態のもと、上記したように試料の分析が行われる。
【００４２】
その後は、分析装置１において電源のオン状態が保たれる間は（ステップＳ１０５でＮＯ）、ヒータ３に対する通電量は設定値とされて、ヒータ３に印加する電圧が第２電圧となる状態が保たれる。
【００４３】
そして、電源切替部７によって、分析装置１における電源がオン状態からオフ状態に切り替えられると（ステップＳ１０５でＹＥＳ）、ヒータ３に対する通電が停止されて、制御部１１によるヒータ３の制御が終了する。
【００４４】
このように、分析装置１では、電源切替部７によって電源がオフ状態からオン状態に切り替えられた場合には、ヒータ３への通電量が設定値よりも大きい値に上昇された後、設定値に降下される。
これにより、短時間で筐体２内の温度が一定温度に到達する。換言すれば、短時間で筐体２内が安定した状態となる。
【００４５】
図３は、分析装置１におけるヒータ３の温度、及び、筐体２内の温度の経時的変化の一例を示したグラフである。なお、図３では、縦軸が温度を表し、横軸が時間を表している。
図３において、グラフＡは、分析装置１におけるヒータ３の温度の経時的変化を示しており、グラフＢは、分析装置１における筐体２内の温度の経時的変化を示している。
【００４６】
また、グラフＣは、従来の分析装置におけるヒータの温度の経時的変化を示しており、グラフＤは、従来の分析装置における筐体内の温度の経時的変化を示している。具体的には、グラフＣは、分析装置１と同様の装置において、電源がオフ状態からオン状態に切り替えられたときから通電量を設定値に保つ場合におけるヒータの温度の経時的変化を示している。同様に、グラフＤは、分析装置１と同様の装置において、電源がオフ状態からオン状態に切り替えられたときから通電量を設定値に保つ場合における筐体内の温度の経時的変化を示している。
【００４７】
グラフＡからは、時間ｔ１において、ヒータ３に印加する電圧を第１電圧から第２電圧に切り替えていることが確認できる。また、グラフＢからは、時間ｔ２において、筐体２内の温度が一定温度に到達して、筐体２内が安定した状態となることが確認できる。グラフＡ及びグラフＢのそれぞれでは、温度が急激に上昇して一定温度よりも高くなり、その後、温度が降下して一定温度になっている。
【００４８】
グラフＡとグラフＣとを比較すると、グラフＣにおいて温度が一定温度に到達するまでの時間に比べて、グラフＡにおいて温度が一定温度に到達するまでの時間の方が短いことが確認できる。
【００４９】
また、グラフＢとグラフＤとを比較すると、グラフＤにおいて温度が一定温度に到達するまでの時間ｔ３に比べて、グラフＢにおいて温度が一定温度に到達するまでの時間ｔ２の方が短いことが確認できる。
【００５０】
すなわち、グラフＡ〜グラフＤからは、電源がオフ状態からオン状態に切り替えられたときに、ヒータ３に印加する電圧を第１電圧とし、筐体２の内部の温度が閾値１０２の温度に到達したときに、ヒータ３に印加する電圧を第１電圧から切り替えて第２電圧とすると、電源がオフ状態からオン状態に切り替えられたときから印加電圧を第２電圧とする場合に比べて、短時間で筐体２内の温度が一定温度となることが確認できる。
【００５１】
４．作用効果
（１）本実施形態では、図２に示すように、電源切替部７によって分析装置１の電源がオフ状態からオン状態に切り替えられると（ステップＳ１０１でＹＥＳ）、制御部１１によってヒータ３への通電量が設定値よりも大きい値（最大値）に上昇される（ステップＳ１０２）。その後、制御部１１によってヒータ３への通電量が設定値に降下される（ステップＳ１０４）。
すなわち、ヒータ３によって筐体２内の温度が急激に上昇された後、筐体２への通電量が設定値に保たれることにより、筐体２内の温度が一定温度に保たれる。
【００５２】
そのため、分析装置１の電源がオフ状態からオン状態に切り替えられたときからヒータ３への通電量を設定値に保つ場合に比べて、短時間で筐体２内の温度を一定温度に到達させることができる。
また、温調部を設ける必要がないため、筐体２における振動の発生を抑制しながら、試料に向けて測定光を出射できる。
すなわち、本発明の第１実施形態に係る分析装置１によれば、検出結果への影響を抑制しながら、短時間で筐体２内の温度を安定させることができる。
【００５３】
（２）また、本実施形態では、図１に示すように、分析装置１は、内部温度センサ８と、外部温度センサ９とを備えている。そして、制御部１１は、分析装置１の電源がオフ状態からオン状態に切り替えられた場合に、ヒータ３への通電量を設定値よりも大きい値（最大値）に上昇させた後、内部温度センサ８及び外部温度センサ９からの検出信号に基づいて設定値に降下させる。
【００５４】
具体的には、図２に示すように、制御部１１は、分析装置１の電源がオフ状態からオン状態に切り替えられた場合に、まず、内部温度センサ８への通電量を設定値よりも大きい値（最大値）に上昇させて、ヒータ３に印加する電圧を第１電圧にする（ステップＳ１０２）。そして、制御部１１は、記憶部１０に記憶されている複数のタイミング情報１００のうち、外部温度センサ９が検知する温度と同一、又は、外部温度センサ９が検知する温度に最も近い温度の情報を、外部温度１０１として備えているタイミング情報１００を選択する。さらに、制御部１１は、選択したタイミング情報１００に含まれる閾値１０２を読み出す。そして、制御部１１は、内部温度センサ８が検知する筐体２の内部の温度が、記憶部１０から読み出した閾値１０２の温度に到達すると（ステップＳ１０３でＹＥＳ）、ヒータ３に対する通電量を設定値として、ヒータ３に印加する電圧を第２電圧にする。
【００５５】
そのため、ヒータ３への通電量を設定値よりも大きい値（最大値）に上昇させた後、筐体２の内部及び外部の温度を考慮した適切なタイミングで、ヒータ３への通電量を設定値に降下させることができる。
【００５６】
５．第２実施形態
図４を参照して、本発明の第２実施形態を説明する。なお、以下において、上記した第１実施形態と同様の構成及び方法には同様の符号を用いて、その説明を省略する。
（１）制御部によるヒータの制御動作
上記した第１実施形態では、制御部１１は、分析装置１の電源がオフ状態からオン状態に切り替えられた場合に、内部温度センサ８への通電量を最大値に上昇させた後、内部温度センサ８及び外部温度センサ９からの検出信号に基づいて設定値に降下させる。
【００５７】
対して、第２実施形態では、図４に示すように、制御部１１は、分析装置１の電源がオフ状態からオン状態に切り替えられた場合に、内部温度センサ８への通電量を最大値に上昇させた後、一定時間経過後に設定値に降下させる。
図４は、本発明の第２実施形態に係る分析装置１の制御部１１による処理の一例を示したフローチャートである。
【００５８】
具体的には、第２実施形態では、分析装置１において、電源切替部７によって電源がオフ状態からオン状態に切り替えられると（ステップＳ２０１でＹＥＳ）、制御部１１は、ヒータ３に対する通電量を最大値として、ヒータ３に印加する電圧を第１電圧にする（ステップＳ２０２）。
【００５９】
そして、制御部１１は、ヒータ３に印加する電圧を第１電圧としてからの時間が一定時間となるまでは（ステップＳ２０３でＮＯ）、ヒータ３に対する通電量を最大値とする。そして、ヒータ３に印加する電圧が第１電圧となる状態が保たれる。
【００６０】
また、制御部１１は、ヒータ３に印加する電圧を第１電圧としてから一定時間が経過すると（ステップＳ２０３でＹＥＳ）、ヒータ３に対する通電量を設定値として、ヒータ３に印加する電圧を第２電圧にする（ステップＳ２０４）。そして、筐体２内の温度は、一定温度に保たれる。
【００６１】
その後は、分析装置１において電源のオン状態が保たれる間は（ステップＳ２０５でＮＯ）、ヒータ３に対する通電量は設定値とされる。そして、ヒータ３に印加する電圧が第２電圧となる状態が保たれる。
【００６２】
そして、電源切替部７によって、分析装置１における電源がオン状態からオフ状態に切り替えられると（ステップＳ２０５でＹＥＳ）、ヒータ３に対する通電が停止されて、制御部１１によるヒータ３の制御が終了する。
【００６３】
（２）第２実施形態の作用効果
第２実施形態では、図４に示すように、制御部１１は、分析装置１の電源がオフ状態からオン状態に切り替えられた場合に、ヒータ３への通電量を設定値よりも大きい値（最大値）に上昇させた後（ステップＳ２０２）、一定時間経過後に設定値に降下させる（ステップＳ２０４）。
【００６４】
この場合は、図１に示す内部温度センサ８及び外部温度センサ９は不要であり、記憶部１０にタイミング情報１００を記憶することも不要である。
そのため、ヒータ３への通電量を設定値よりも大きい値（最大値）に上昇させた後に設定値に降下させるという動作を、簡易な構成及び制御によって行うことができる。
【００６５】
６．変形例
以上の説明では、本発明に係る分析装置は、フーリエ変換赤外分光光度計（ＦＴ−ＩＲ）であるとして説明したが、本発明は、フーリエ変換赤外分光光度計（ＦＴ−ＩＲ）以外の分析装置に適用可能である。
【００６６】
また、以上の説明における通電量の設定値は、予め定められた一定値であってもよいし、作業者が任意の値に設定できてもよい。
【００６７】
また、以上の説明では、分析装置１の電源がオフ状態からオン状態に切り替えられると、制御部１１によってヒータ３への通電量が最大値にされるとして説明した。しかし、分析装置１の電源がオフ状態からオン状態に切り替えられた場合において、制御部１１によって制御されるヒータ３への通電量は、設定値よりも大きければよく、最大値に限られない。
【００６８】
また、以上の説明では、分析装置１の電源がオフ状態からオン状態に切り替えられると同時に、制御部１１によってヒータ３への通電量が設定値よりも大きい値（最大値）に上昇されるとして説明したが、このような構成に限らず、分析装置１の電源がオフ状態からオン状態に切り替えられてから所定時間が経過した後に、制御部１１によってヒータ３への通電量が設定値よりも大きい値（最大値）に上昇されてもよい。
【００６９】
また、第１実施形態では、制御部１１は、外部温度センサ９が検知する筐体２の外部の温度に基づいて、所定のタイミング情報１００を選択して閾値１０２を読み出し、内部温度センサ８が検知する筐体２内の温度が、当該読み出した閾値１０２に到達したタイミングにおいて、ヒータ３に対する通電量を切り替えるとして説明した。しかし、ヒータ３に対する通電量を切り替えるタイミングは、内部温度センサ８及び外部温度センサ９からの検出信号に基づいて決定されればよく、これに限られない。
【符号の説明】
【００７０】
１    分析装置
２    筐体
３    ヒータ
６    検出器
７    電源切替部
８    内部温度センサ
９    外部温度センサ
１１    制御部
【図１】
0006575363.tif 000002
【図２】
0006575363.tif 000003
【図３】
0006575363.tif 000004
【図４】
0006575363.tif 000005